(57)【要約】 
【課題】  カウベルや大型の鈴に被せることにより未使用時に音が鳴らないようにする。
【解決手段】  上部に形成した開口縁部２に紐通路３を設け、この紐通路３に紐５を挿通した袋体１の底部６の中心に磁石７を具えてある。そして、紐通路３に伸縮性を有したゴム紐５ａを挿通させて網目織布からなる袋体１ａの底面に網目織布やフリース布やパイル布で形成した円形の底部６の中心に磁石７を具えても良い。さらに、底部を円形で二重に形成し、該底部の中心部分に磁石の径よりやや大きく形成した収容室８内に磁石を前後左右に動けるように収容し、振子１５や可動片２６の位置が底部の中心から多少ずれても該磁石はその位置を自動的に調整して吸着固定できるものである。
【選択図】  図３  
0003101491.tif 000002
【実用新案登録請求の範囲】
【請求項１】
上部に形成した開口縁部（２）に紐通路（３）を設け、この紐通路（３）に紐（５）を挿通してなる袋体（１）の底面に形成した底部（６）の中心に磁石（７）を具えてなることを特徴とするベル用ポーチ。
【請求項２】
上部に形成した開口縁部（２）に紐通路（３）を設け、この紐通路（３）に伸縮性を有したゴム紐（５ａ）を挿通して柔軟素材からなる袋体（１）の底面に円形をした底部（６）を設け、該底部の中心に磁石（７）を具えてなることを特徴とするベル用ポーチ。
【請求項３】
上部に形成した開口縁部（２）に紐通路（３）を設け、この紐通路（３）に紐（５）を挿通して網目織布からなる袋体（１）の底面に円形をした底部（６）を設け、該底部の中心に磁石（７）を具えてなることを特徴とするベル用ポーチ。
【請求項４】
上部に形成した開口縁部（２）に紐通路（３）を設け、この紐通路（３）に紐（５）を挿通してフリース布又はパイル布からなる袋体（１）の底面に円形をした底部（６）を設け、該底部の中心に磁石（７）を具えてなることを特徴とするベル用ポーチ。
【請求項５】
上部に形成した開口縁部（２）に紐通路（３）を設け、この紐通路（３）に紐（５）を挿通して網目織布からなる袋体（１）の底面に、二重に形成した円形の底部（６，６ａ）の中心部分に収容室（８）を設け、該収容室内に磁石（７）を移動可能に収容してなることを特徴とするベル用ポーチ。
【考案の詳細な説明】
【技術分野】
【０００１】
本考案は、熊よけベルやカウベル等のベルや大型の鈴に被せて、未使用時に音が鳴らないようにするベル用ポーチに関するものである。
【背景技術】
【０００２】
音の出るお土産やアクセサリーとしての各種のベルや鈴は、ペットの首に取り付けて使用するペット用、登山する際に熊よけとしてリュックサックや登山客の体に取り付けて使用する登山用、ドアの開閉の際に音が鳴るようにドアに取り付けて使用するドア取付用、さらに、音の出るアクセサリー用として使用されるものなど、様々な用途に使用されるために多数のものが市場に出回っており、大勢の人が集まる各地の観光地などにおいて販売されている。
【０００３】
例えば、図５、６に示すように、カウベル１１は音を鳴らすため金属製の材質で椀状に形成して下部を大きく開口させたベル本体１２を形成し、このベル本体の内部に設けた空洞部１３の上部に貫通して設けた掛止部１４の下部に環状に形成した取付部１５に上部を取り付けて吊下げた金属製の振子１６の下端に球形又は半球形をした打撃片１６ａを設けてある。
【０００４】
カウベルとして使用する場合、ベル本体１２から吊下げられた振子１６は該ベル本体の下方から外部に多少突出しているが、該振子を上方に持ち上げるとベル本体の内部に収容できるように構成してある。このベル本体１２の上部に設けた前記掛止部１４の上部に取り付けた挿通部１７に挿通させた取付バンド１８を保持してベル本体１２を振り回すと、振子１５の下端に設けた打撃片１６ａはベル本体１２の内壁面に衝突して生じた音がベル本体の空洞部１３内で共鳴して独特な音色をした大きな音が鳴るものである。
【０００５】
図７、８に示した大型の鈴２１は、金属素材で構成された鈴本体２２内の空洞室２３に鉄球又は鉄棒などの可動片２６が自由に移動、転動できるように収容し、鈴本体の下部には略十字状をした細溝２４を設けてある。そして、この鈴本体２２の上部にビス２８などで取付けてある取付バンド２７を保持して鈴本体２２を振り回して動かすと、空洞室２３内に収容してある可動片２６が鈴本体２２の内壁面と衝突して生じた音は、該空洞室２３内で共鳴して細溝２４から鈴本体外に大きな音が鳴るものである。
【０００６】
しかして、カウベル１１や大型の鈴２１を観光地などでお土産として購入した場合、例えば、上部に設けた開口部に沿って紐を挿通した巾着袋を用い、その内部にカウベルや大きな鈴を収容し、紐を引張って開口部を絞って内部に収容した品物が外部に飛び出さないようにして持ち運ぶことになる（例えば、特許文献１参照。）。また、袋体の上部に設けた開口部に挿通した紐を引張って絞った袋体を用いて、その内部に大きな鈴２１やカウベル１１を収容して持ち運んでいる（例えば、特許文献２。）。しかし、カウベルや鈴を持ち運ぶ際に、カウベルの有する振子や鈴の内部に可動できる状態のままで収容されている可動片は、ベル本体や鈴本体と衝突しないようにして持ち運び中に音が鳴って騒音が生じてしまうという問題点を有していた。
【特許文献１】特開平１０−２７２００８号公報
【特許文献２】特開２００３−２６７３９４号公報
【考案の開示】
【考案が解決しようとする課題】
【０００７】
観光地などでお土産として購入したカウベル１１を持ち運ぶ場合、ベル本体１１の内部に吊下げた振子１６が周壁面に衝突するのを防ぐため、ベル本体の空洞部１３内に軟らかな紙などからなる詰物を振子１６の周囲に包み込んで音が鳴らないようにする手間が必要となる。このように、振り回して動かすと音の出るお土産を包装する場合、カウベルとして未使用時である持ち運び中に音が鳴ると騒音となるため、音の出ない他の商品に比べて商品の包装に手間がかかるという問題点を有していた。
【０００８】
それでもカウベルの場合には、ベル本体１２の下部が大きく開口した空洞部１３を有しているため、該空洞部内の振子１６の周囲に紙などの軟らかな詰物を充填することができるため、その包装は比較的容易である。
【０００９】
しかし、鈴１１の場合は形が略球形をしていて内部に収容した可動片２６が外部に飛び出さないようにすると共に内部で共鳴した大きな音が外部に出るようにするため、鈴本体２２の下部に十字状の細溝２４を設けてあるが、細溝２４の巾が狭いため鈴本体２２の内部に該細溝から詰物を挿入することが困難で熟練を必要としていた。そして、持ち運び途中で音が鳴らないようにするために、商品を包装してお客に渡すまでに時間がかかってしまい能率が悪いという問題点を有していた。
【００１０】
本考案は、ベルや鈴を袋体内に収容し、該ベルや鈴の内部に収容した振子や可動片を該袋体の底部に具えた磁石に吸着固定し、未使用時にベル又は鈴が鳴らないようにすることを目的とする。
【課題を解決するための手段】
【００１１】
上記課題を解決するために、本考案は、上部に形成した開口縁部２に紐通路３を設け、この紐通路３に紐５を挿通してなる袋体１の底面に形成した底部６の中心に磁石７を具えてなることを特徴とする。
【００１２】
さらに第２の考案は、上部に形成した開口縁部２に紐通路３を設け、この紐通路３に伸縮性を有したゴム紐５ａを挿通して柔軟素材からなる袋体１の底面に円形をした底部６を設け、該底部の中心に磁石７を具えてなることを特徴とする。
【００１３】
さらに第３の考案は、上部に形成した開口縁部２に紐通路３を設け、この紐通路３に紐５を挿通して網目織布からなる袋体１の底面に円形をした底部６を設け、該底部の中心に磁石７を具えてなることを特徴とする。
【００１４】
さらに第４の考案は、上部に形成した開口縁部２に紐通路３を設け、この紐通路３に紐５を挿通してフリース布又はパイル布からなる袋体１の底面に円形をした底部６を設け、該底部の中心に磁石７を具えてなることを特徴とする。
【００１５】
さらにまた第５の考案は、上部に形成した開口縁部２に紐通路３を設け、この紐通路３に紐５を挿通して網目織布からなる袋体１の底面に、二重に形成した円形の底部６，６ａの中心部分に収容室８を設け、該収容室内に磁石７を移動可能に収容してなることを特徴とするものである。
【００１６】
本考案は、袋体１内にカウベル１１や鈴２１を収容すると、カウベルや鈴の内部に設けてある振子１６や可動片２６は自重によりそれぞれベル本体１１及び鈴本体２１の下部中心に具えた磁石７に吸着固定され、カウベルや鈴の不使用時には音が鳴らないので安心して持ち運ぶことができる。紐５を引張って袋体１の開口部２を絞れば、この袋体１がカウベルや鈴から外部に飛び出すことはない。
【００１７】
また本考案は、袋体１内にカウベル１１や鈴２１を収容させると、カウベルや鈴の内部に設けた振子１６や可動片２６は自重によりそれぞれベル本体１１および鈴本体２１の下部中心に位置し、この袋体１内に収容したベル本体１２や鈴本体２１内の振子１６や可動片２６は、該袋体の底面に設けた円形をした底部６の中心に具えてある磁石７によって吸着固定されるため、不使用時に音が鳴らないので安心して持ち運ぶことができる。この場合、紐５は伸縮性を有するゴム紐５ａであるから、該紐を引張って開口縁部２を絞れば該開口縁部を容易に絞れるので、不使用時に開口縁部が弛んでカウベルが外に脱出することはない。また、袋体の底部６を円形に形成してあるので、袋体１の内部に収容した鈴本体やカウベルの周囲に余計な空間が生じないで底部中心に位置するので、底部中心に備えた磁石に吸着固定することができる。
【００１８】
さらに本考案は、袋体１内にカウベル１１や鈴２１を収容させると、カウベルや鈴の内部に設けた振子１６や可動片２６は、袋体１の底部に具えた磁石７によって吸着固定されてベル本体１２および鈴本体２２と一体に保持でき、カウベルの不使用時に音が鳴らないので安心できる。この袋体を網目織布で形成してあると、袋体内に収容する変形したベル本体や鈴本体の位置を見て確認し，底部に備えた磁石の位置を調整して吸着させることができる。
【００１９】
さらに本考案は、前記の作用に加えてフリース布やパイル加工した布など弾力性を有した部材で形成した袋体内にカウベルや鈴を収容すると、該カウベル７他鈴の周囲を弾力性を有した布で包み込むため、他の部材と衝突した場合の衝撃が少なく、磁石が外れるような衝撃を受けることが少ない。
【００２０】
また本考案は、袋体１内にカウベル１１や鈴２１を収容させると、カウベルや鈴の内部に設けた振子１６や可動片２６は、袋体１の底部に具えた磁石７によって吸着固定されてベル本体１２および鈴本体２２と一体に保持でき、カウベルの不使用時に音が鳴らないので安心できるし、また、底部６，６ａを円形で二重に設けたその中間部で、且つ、該底部の中心部分に磁石の径よりやや長い一辺からなる方形の収容室８を設けてあるので、この収容室内に収容した磁石７は前後左右に多少動くことができ、振子１６や可動片２６の位置が底部６ａの中心から多少ずれても該磁石は振子や可動片に吸着される磁力によってその位置を自動的調整して吸着固定できる。この収容室８の形状は方形に限らず、円形、多角形、その他の形状でもよいものである。
【考案の効果】
【００２１】
以上の如く、本考案は袋体１の内部のカウベル１１や鈴２１を収容すると、自重によりベル本体１２や鈴本体２２の下部中心に位置する振子１６や可動片２６は、袋体の底部６の中心に具えた磁石７に吸着固定されてカウベルや鈴と一体に保持されるため、旅先で購入して持ち運ぶ場合、即ちカウベルや鈴として未使用時に音が鳴るのを防いで安心して持ち運ぶことができる。しかも、カウベルの振子に限らず、鈴の内部に位置する可動片も磁石の磁力によって吸着固定して音が鳴るのを防ぐことができる。開口縁部に挿通させた紐５を引張って開口縁部を絞れば、カウベルが袋体から脱出することはない。
【００２２】
さらに、袋体の底部６が円形であるから袋体１も円形となり、カウベルや鈴を収容してゴム紐５ａを引張って開口縁部２を絞ると、この袋体の底部６の中心に具えた磁石７に振子１６や可動片２６を吸着固定させて、未使用時にカウベルや鈴の音が鳴るのを防止できる。また、袋体を網目織布で形成してあるので袋１の内部を目で見てその位置を確認でき、たとえカウベルや鈴が変形した形であっても、底部に設けた磁石の位置を調整して振子１６や可動片２６を磁石７に吸着固定させて音の発生を防止することができる。
【００２３】
前記の効果に加えて、円形をして二重に形成した底部６，６ａの間に磁石７を位置させ、該磁石の周囲を磁石の径より長い一辺からなる方形状に縫着して形成した収容部８内に移動可能に磁石７を収容してあるので、カウベルや鈴を袋体１内に収容して振子１６や可動片２６が中心から位置が多少ずれても、該磁石７は収容室８内を移動して確実に振子１６や可動片２６と吸着固定し、不使用時にカウベルや鈴の音が鳴るのを防止できる。
【考案を実施するための最良の形態】
【００２４】
本考案を実施するための最良の形態を図面により説明すると、図１はベル用ポーチの縦断面図、図２は図１の一部省略した平面図、図３は他の実施形態のベル用ポーチの縦断面図、図４は図３の一部省略した平面図である。本考案は、布などの柔軟素材やフリース布やパイル布または網目織布などで形成した巾着であって、上部に設けた開口縁部２に沿って設けた紐通路３の内部に紐５を挿通させて開口縁部２を絞って閉じることができるように形成してある。この袋体１の底部６は円形に形成してあり、該底部６の中心に磁石を位置させて具えてある。この紐５の代りに伸縮性を有したゴム紐５ａを用いても良い。また、当て布６ｂを位置させてその周囲を縫着した縫目９で、この底部６と当て布６ｂとの内部に収容室８を設けてある。そのため、磁石はこの収容部８内を前後左右に一定の範囲で移動する事ができる。この収容部８は方形である必要はなく円形でもよいものである。
【００２５】
また、袋体１の下部には円形であって二重に形成した底部６，６ａの間に磁石７を位置させ、この磁石の直径より一辺が長い方形状に縫着するだけで容易に収容室８を形成することができ、この収容室内で磁石７は前後左右に移動することができる。この底部を二重にしないで、布部の中心部分に当て布６ｂを当てて周囲を縫着して縫目９を設けても良い(図１)。この場合、当て布６ｂの内部に少し空間を設けてあれば磁石が収容室内を前後左右に動けるので、磁石の位置を微妙に調整することができ効果的に振子や可動片と接着することができる。二重に形成した底部６，６ａを網目織布で形成すれば、磁石７の位置を目で見て確認することができる。この底部は必ずしも二重に形成する必要はなく、磁石が一定の範囲で前後左右に動けるように設けてあればよい。
【００２６】
次に、本実施形態の作用について説明すると、観光地など旅先で音の鳴るカウベルや鈴をお土産として購入すると、お店の人は袋体１の開口縁部２を広げて内部にカウベルを収容すると、カウベル１１内の振子１６は自重により下部中心に位置している。また、袋体の底部６の中心には磁石７が具えてあるので、前記振子１６や可動片２６は自重によってカウベルや鈴の略中心に位置するため、底部の中心に設けた該磁石７に吸着して固定できる。そのため、カウベルや鈴の未使用時には、カウベル１１と振子１６また鈴２１と可動片２６は、夫々磁石７によって吸着固定されて一体に保持されるため音が鳴ることがなく、旅先でも安心してカウベルや鈴などのお土産を購入できる。
【００２７】
さらに底部６、６ａを二重に形成し、その中間に設けてある収容室８内に磁石７が移動できるように収容してあれば、振子１６や可動片２６が袋体１，１ａの底部６，６ａの中心から多少位置が偏していても磁石は吸着する磁力により自動的に移動して振子や可動片と吸着固定する。そして、底部６，６ａや袋体１を網目織布で形成してあれば、内部に収容したカウベルの位置や磁石７の位置を確認できるのでカウベルの形が変形していても磁石７を振子１６や可動片２６の位置に移動して確実に吸着固定できる。このように袋体１の底部６，６ａに磁石７の位置を前後左右に移動させて調整できるので、カウベルや鈴が円形ではなく楕円形や多角形であっても振子１６や可動片２６を磁石７によって吸着固定し、未使用時に音が鳴るのを確実に防止することができる。
【００２８】
また、店先に多数のカウベルや鈴などを陳列してあって、風が強く吹く場合には、カウベルが風などによって振り回されて複数のカウベルが音を鳴らしてうるさい場合には、カウベルにこの袋体１，１ａを被せることにより、底部６，６ａの中央に設けた磁石７によってカウベルや鈴の内部に位置する振子１６や可動片２６を吸着固定して音が鳴らないように調整できるため、店の中に展示された複数のカウベルの音がうるさくないように簡単に調整することができる。
【００２９】
この袋体を柔軟素材であるフリース布やパイル布などのある程度の弾性を有する素材で形成した袋体で包み込むことによりベル本体や鈴本体が他の物と衝突した場合には、該袋体がクッション作用を発揮し、衝撃を吸収して磁石が外れないようにする効果を有している。また、この袋体及び底部を編目織布で形成した場合には該袋体内を眼で見ることができるので、ベル本体が変形しているような場合でも編目を通して内部のベル本体の位置又は形状を確認して底部に設けた磁石の位置を調整して吸着固定させる作用を有するものである。
【図面の簡単な説明】
【００３０】
【図１】本考案の第１の実施形態を示すベル用ポーチの縦断面図である。
【図２】図１の一部省略した平面図である。
【図３】本考案の第２の実施形態を示すベル用ポーチの縦断面図である。
【図４】図３の一部省略した平面図である。
【図５】カウベルの縦断面図である。
【図６】図５の底面図である。
【図７】鈴の縦断面図である。
【図８】鈴の底面図である。
【符号の説明】
【００３１】
１      袋体
１ａ    袋体
２      開口縁部
３      紐通路
５      紐
５ａ    ゴム紐
６      底部
６ａ    底部
６ｂ    当て布
７      磁石
８      収容室
９      縫目
９ａ    縫目
１１      カウベル
１２      ベル本体
１３      空洞部
１６      振子
２１      鈴
２２      鈴本体
２３      空洞室
２４      細溝
２６      可動片
【図１】
0003101491.tif 000003
【図２】
0003101491.tif 000004
【図３】
0003101491.tif 000005
【図４】
0003101491.tif 000006
【図５】
0003101491.tif 000007
【図６】
0003101491.tif 000008
【図７】
0003101491.tif 000009
【図８】
0003101491.tif 000010